(57)【要約】    【課題】  部品点数を増加させたり、余計にスペースを必要とすることなくフェライトコアを所望の固定位置に確実に取付けることができるフレキシブル配線板を提供することにある。    【解決手段】  フレキシブル配線板１は、その長辺両側部に、上端から側面１１，１２を隔てて一対の突出部１ａ，１ｃを有し、その下側において側面１３，１４を隔てて一対の突出部１ｂ，１ｄを有する。突出部１ａ，１ｃの各形状は、上側のみが傾斜した山形であり、高さが低い。突出部１ｂ，１ｄの各形状は、矩形であり、高さが高い。突出部１ａ，１ｂ間の寸法又は突出部１ｃ，１ｄ間の寸法は、フェライトコアの厚さの寸法に合わせてある。フェライトコア２は、フェライト製であり、断面長方形の直方体である。フェライトコア２は、スリット状の穴２’を有する。【選択図】      図１
2006073650.tif 000002
【特許請求の範囲】
【請求項１】
フェライトコアのスリットに内嵌すべきフレキシブル配線板において、
幅がほぼ前記スリット幅に等しく、いずれか一方の側面から突出する第１の突出部と、前記第１の突出部から前記配線板の長手方向に沿ってほぼ前記フェライトコアの長ささだけ離れた位置において、いずれか一方の側面から突出する第２の突出部とを備えるフレキシブル配線板。
【請求項２】
前記第１の突出部は、前記配線板の両側面から夫々突出する一対の第１の突出部から成り、前記第２の突出部は、前記両側面から夫々突出する一対の第２の突出部から成ることを特徴とするフレキシブル配線板。
【請求項３】
前記第１の突出部は、前記配線板のフェライトコア挿入方向側に配され、且つ当該挿入方向に対して傾斜していることを特徴とする請求項１又は２記載のフレキシブル配線板。
【請求項４】
前記第１の突出部及び前記第２の突出部、並びに第１の突出部と前記第２の突出部の間において少なくとも前記側面の近傍にパターンを有することを特徴とする請求項１乃至３のいずれか１項に記載のフレキシブル配線板。
【請求項５】
前記第１の突出部及び前記第２の突出部、並びに第１の突出部と前記第２の突出部の間において少なくとも前記側面の近傍に補強板を有することを特徴とする請求項１乃至３のいずれか１項に記載のフレキシブル配線板。
【発明の詳細な説明】
【技術分野】
【０００１】
本発明は、フレキシブル配線板に関し、特に、ノイズ対策部品であるフェライトコアが取付けられるフレキシブル配線板に関する。
【背景技術】
【０００２】
近年、電気機器には、小型化を行うために各配線板間の接続にフレキシブル配線板が使用されることが多くなってきた。このフレキシブル配線板のノイズ対策には、スリットを有するフェライトコアが用いられている。フェライトコアのスリットにはフレキシブル配線板が内嵌される。
【０００３】
このようなフェライトコアは、ただ嵌合しただけではフレキシブル配線板上を移動してしまい、移動した場合、場所によっては所望のノイズ除去効果が得られないばかりか、取付けた機器の内部に衝突し、フェライトコアの破損、又は機器内部の破損の恐れがある。それを防ぐためには、フェライトコアを固定する必要があり、その方法として、フェライトコアとフレキシブル配線板とを直接接着テープ又は接着剤で固定する方法がある。また、結束ベルトや熱収縮チューブ等の固定具を用いて固定する方法がある(例えば、特許文献１参照)。
【特許文献１】特開平１０−３３６８５７号公報
【発明の開示】
【発明が解決しようとする課題】
【０００４】
しかしながら、フェライトコアの固定に接着剤を使用した場合、接着剤が固化するまで時間がかかり、作業に手間がかかる。また、フェライトコアの固定に止め具を用いた場合には、部品点数が増加し、コストが上昇し、さらに、止め具のために余計にスペースが必要となり、小型化の妨げとなる。
【０００５】
本発明の目的は、部品点数を増加させたり、余計にスペースを必要とすることなくフェライトコアを所望の固定位置に確実に取付けることができるフレキシブル配線板を提供することにある。
【課題を解決するための手段】
【０００６】
上記の目的を達成するために、請求項１記載のフレキシブル配線版は、フェライトコアのスリットに内嵌すべきフレキシブル配線板において、幅がほぼ前記スリット幅に等しく、いずれか一方の側面から突出する第１の突出部と、前記第１の突出部から前記配線板の長手方向に沿ってほぼ前記フェライトコアの長ささだけ離れた位置において、いずれか一方の側面から突出する第２の突出部とを備えることを特徴とする。
【０００７】
請求項２記載のフレキシブル配線版は、前記第１の突出部は、前記配線板の両側面から夫々突出する一対の第１の突出部から成り、前記第２の突出部は、前記両側面から夫々突出する一対の第２の突出部から成ることを特徴とする。
【０００８】
請求項３記載のフレキシブル配線版は、請求項１又は２記載のフレキシブル配線板において、前記第１の突出部は、前記配線板のフェライトコア挿入方向側に配され、且つ当該挿入方向に対して傾斜していることを特徴とする。
【０００９】
請求項４記載のフレキシブル配線版は、請求項１乃至３のいずれか１項に記載のフレキシブル配線板において、前記第１の突出部及び前記第２の突出部、並びに第１の突出部と前記第２の突出部の居間において少なくとも前記側面の近傍にパターンを有することを特徴とする。
【００１０】
請求項５記載のフレキシブル配線版は、請求項１乃至３のいずれか１項に記載のフレキシブル配線板において、前記第１の突出部及び前記第２の突出部、並びに第１の突出部と前記第２の突出部の居間において少なくとも前記側面の近傍に補強板を有することを特徴とする。
【発明の効果】
【００１１】
請求項１記載のフレキシブル配線版によれば、第１の突出部が幅がほぼ前記スリット幅に等しく、いずれか一方の側面から突出し、第２の突出部が第１の突出部から配線板の長手方向に沿ってほぼフェライトコアの長ささだけ離れた位置において、いずれか一方の側面から突出するので、部品点数を増加させたり、余計にスペースを必要とすることなくフェライトコアを所望の固定位置に確実に取付けることができる。
【００１２】
請求項２記載のフレキシブル配線版によれば、第１の突出部は、配線板の両側面から夫々突出する一対の第１の突出部から成り、第２の突出部は、両側面から夫々突出する一対の第２の突出部から成るので、フェライトコアを所望の固定位置に確実に取付けることができる。
【００１３】
請求項３記載のフレキシブル配線版によれば、第１の突出部は、配線板のフェライトコア挿入方向側に配され、且つ当該挿入方向に対して傾斜しているので、フェライトコアを所望の固定位置にスムーズに取付けることができる。
【発明を実施するための最良の形態】
【００１４】
以下、本発明の実施の形態を図面を参照しながら詳述する。
【００１５】
図１は、本発明の第１の実施の形態に係るフレキシブル配線板の平面図である。
【００１６】
図１において、フレキシブル配線板１は、銅製であり、ほぼ長方形で厚さは、柔軟性を持つぐらいに薄くなっている。フレキシブル配線板１は、その長辺両側部に、図中上端から側面１１，１２を隔てて一対の突出部１ａ，１ｃを有し、その下側において側面１３，１４を隔てて一対の突出部１ｂ，１ｄを有する。突出部１ａ，１ｂは、図中左側の側部にあり、突出部１ｃ，１ｄは、図中右側の側部にある。突出部１ａ，１ｃの各形状は、上側のみが傾斜した山形であり、高さが低い。突出部１ｂ，１ｄの各形状は、矩形であり、高さが高い。突出部１ａ，１ｂ間の寸法又は突出部１ｃ，１ｄ間の寸法は、後述する図２のフェライトコアの厚さの寸法に合わせてある。
【００１７】
上記フレキシブル配線板１において、側面１１，１２間の寸法をＡ、側面１３，１４間の寸法をＢ、突出部１ａ，１ｃの各先端間の寸法をＣ、突出部１ｂ，１ｄの各先端間の寸法をＤ、側面１３と突出部１ｃ間の寸法をＥ、側面１４と突出部１ａ間の寸法をＦ、突出部１ｂの高さをＧ、突出部１ｄの高さをＨとする。
【００１８】
図２は、図１のフレキシブル配線板１が内嵌するフェライトコアの斜視図である。
【００１９】
図２において、フェライトコア２は、フェライト製であり、断面長方形の直方体である。フェライトコア２は、スリット状の穴２’を有し、穴２’の図中左側側面２ａと同右側側面２ｂ間の寸法をＩとする。
【００２０】
図３は、図２のフェライトコア２に内嵌された図１のフレキシブル配線板１の斜視図である。
【００２１】
図３において、フェライトコア２は突出部１ａ，１ｃの配置されている側から挿入される。フレキシブル配線板１の基板側面１１，１２間の幅Ａは、フェライトコア２の２ａ,２ｂ間の幅Ｉに対して小さくなっている。突出部１ａ，１ｃの先端間の幅Ｃはフェライトコア２の２ａ,２ｂ間の幅Ｉに対して大きくなっているため固定する際はフェライトコアに突出部１ａ,１ｃを乗り越えさせる必要がある。ここで１ａ，１ｃは挿入方向に対して傾斜を持っており、フェライトコアを挿入する際に引き込みの役割をしている。この引き込みによりスムーズな挿入と固定が可能となる。フェライトコアが１ａ,１ｃを乗り越える際にフレキシブル配線板１がたわむことにより乗り越えることができるが、乗り越えた後には突出部により移動が規制されるため振動、衝撃等によってはずれることはない（図５）。
【００２２】
挿入後フェライトコア２は突出部１ａ,１ｃと突出部１ｂ,１ｄの間に配置される。突出部１ｂ,１ｄの先端間の幅Ｄは２ａ,２ｂ間の幅Ｉよりも大きくなっておいるため乗り越えることはない。フェライトコア２をフレキシブル配線板１に挿入した状態で、フェライトコア２は突出部１ａ,１ｃと突出部１ｂ,１ｄ及びフレキシブル基板側面１３，１４に接触している。このためフェライトコア２は突出部１ａ,１ｃと突出部１ｂ,１ｄにより上下方向への移動を規制され、フレキシブル基板側面１３，１４により左右方向への移動を規制されることになる。また１３と１ｃ間の幅Ｅ及び１４と１ａ間の幅Ｆ、１３と１ｂ間の幅Ｇ、１４と１ｄ間の幅Ｈはフェライトコア２の２ａ,２ｂ間の幅をＩより小さいため突出部１ａ,１ｂ,１ｃ,１ｄのいずれか１つをフェライトコア２が乗り越え、フェライトコア２が斜めに挿入されてしまうという事態にはならない。
【００２３】
本実施の形態では左右上下方向の位置決めにより容易に動かないようなっているが、前述の寸法条件を満たしていれば、移動の規制をゆるめてもよい。また、使用するフェライトの重量や形状によっては、フレキシブル配線板１の突出部１ａ,１ｂ,１ｃ,１ｄ及び側面１３，１４にベタパターン１５をいれたり、ポリエステル、ポリイミド、ガラスエポキシ樹脂等からなる補強板１６を貼り付けて補強を行ってもよい。フレキシブル配線板１に銅箔ベタパターン１５をいれた図を図６に示す。またフレキシブル配線板１に補強板１６を貼り付けた図を図７に示す。
【００２４】
また、フレキシブル配線板１の突出部は本実施形においては両側に設けたが、片側のみでも位置決め及び固定が可能である。しかし、強度の面から両側に突出部を設けるのが望ましい。
【００２５】
図７は、本発明の第２の実施の形態に係るフレキシブル配線板の平面図である。
【００２６】
図７において、フレキシブル配線板３は、銅製であり、ほぼ長方形で厚さは、柔軟性を持つぐらいに薄くなっている。配線板３は、その長辺両側部に、図中上側に一対の突出部３ａ，３ｂを有し、その下側において一対の突出部３ｃ，３ｄを有する。突出部３ａ，３ｂは、図中左側の側部にあり、突出部３ｃ，３ｄは、図中右側の側部にある。突出部３ａ，３ｃの各形状は、矩形である。突出部３ｂ，３ｄの各形状は、突出部３ａ，３ｃと高さが同じだが、幅が大きい矩形である。突出部３ａ，３ｂ間の寸法又は突出部３ｃ，３ｄ間の寸法は、フェライトコア２（図２）の厚さの寸法に合わせてある。
【００２７】
フェライトコア２にフレキシブル配線板１を内嵌させるには、フェライトコア２を通す際に突出部３ｅ,３ｆを付け根の部分で折り曲げることにより（図８）、突出部３ｅ,３ｆ間の幅を２ａ,２ｂ間の幅Ｉよりも小さくした上で、フレキシブル配線板３フェライトコア２を挿入し、その後に突出部１ｅ,１ｆを元に戻す（図９）。
【図面の簡単な説明】
【００２８】
【図１】本発明の第１の実施の形態に係るフレキシブル配線板の平面図である。
【図２】図１のフレキシブル配線板が内嵌するフェライトコアの斜視図である。
【図３】図２のフェライトコアが内嵌された図１のフレキシブル配線板１の斜視図である。
【図４】図３の線IV-IVに沿う断面図である。
【図５】図１のフレキシブル配線板の変形例の平面図である。
【図６】図１のフレキシブル配線板の他の変形例の平面図である。
【図７】本発明の第２の実施の形態に係るフレキシブル配線板の平面図である。
【図８】図７のフレキシブル配線板の平面図であり、突出部３ａ，３ｃが折り曲げられた場合を示す。
【図９】図２のフェライトコアに内嵌された図７のフレキシブル配線板１の斜視図である。
【符号の説明】
【００２９】
１，３  フレキシブル配線基板
１ａ，１ｂ，１ｃ，１ｄ，３ａ，３ｂ，３ｃ，３ｄ  突出部
２  フェライトコア
１１，１２，１３，１４，３１，３２，３３，３４  側面
【図１】
2006073650.tif 000003
【図２】
2006073650.tif 000004
【図３】
2006073650.tif 000005
【図４】
2006073650.tif 000006
【図５】
2006073650.tif 000007
【図６】
2006073650.tif 000008
【図７】
2006073650.tif 000009
【図８】
2006073650.tif 000010
【図９】
2006073650.tif 000011